(57)【要約】【課題】常用の読み方と違う読み方をする漢字が含まれる名称を登録する場合に、その名称の読み仮名の登録にかかるユーザの手間を削減できる「名称登録装置および名称の読み仮名登録方法」を提供する。【解決手段】５０音入力された読みについて最初にカナ漢字変換が行われた後、名称を登録するための操作が行われるまでの間に５０音入力が再度行われてカナ漢字変換された場合でも、２回目以降に５０音入力された読みのデータは読み仮名として用いず、最初にカナ漢字変換されるまでに５０音入力された読みのデータを読み仮名として確定させるようにすることにより、登録したい読み仮名で最初に５０音入力してカナ漢字変換をした後、単漢字ごとに区切ってカナ漢字変換を順次行うことにより所望の漢字を確定して名称の登録を行えば、最初に５０音入力したときに確定した読み仮名が登録されるようにする。【選択図】図１
2014016918.tif 000002
【特許請求の範囲】
【請求項１】
名称の読みを１語ずつ５０音入力しカナ漢字変換して登録するとともに、当該５０音入力された読みを自動的に読み仮名として登録する名称登録装置であって、
最初にカナ漢字変換されるまでに５０音入力された読みのデータを上記読み仮名として確定させる読み仮名確定部と、
上記カナ漢字変換により変換候補として提示された漢字の中から何れかの漢字を選択して確定させるための操作が行われた場合、当該選択された漢字を上記名称の一部または全部として確定させる名称確定部と、
上記名称確定部により上記名称の一部または全部として確定された漢字の一部をユーザ操作に応じて訂正する漢字訂正部と、
上記名称を登録するための操作が行われた場合、上記名称確定部により確定された名称または上記漢字訂正部により漢字の一部が訂正された名称、および上記読み仮名確定部により確定された読み仮名をデータベースに登録するデータベース登録部とを備え、
上記最初のカナ漢字変換が行われた後、上記名称を登録するための操作が行われるまでの間に上記５０音入力が再度行われてカナ漢字変換された場合でも、上記読み仮名確定部は、２回目以降に５０音入力された読みのデータは上記読み仮名として用いず、上記最初にカナ漢字変換されるまでに５０音入力された読みのデータを上記読み仮名として確定させることを特徴とする名称登録装置。
【請求項２】
上記最初にカナ漢字変換されるまでに５０音入力された読みのデータを一時記憶部に記憶させる読みデータ記憶部を更に備え、
上記最初のカナ漢字変換が行われた後、上記名称を登録させるための操作が行われるまでの間に上記読みのデータの５０音入力が再度行われてカナ漢字変換された場合でも、上記読みデータ記憶部は、上記２回目以降に５０音入力された読みのデータは上記一時記憶部に記憶させず、上記最初にカナ漢字変換されるまでに５０音入力された読みのデータを上記一時記憶部に保持し続け、
上記読み仮名確定部は、上記名称を登録するための操作が行われたときに、上記一時記憶部に記憶されている上記読みのデータを、上記名称に対する上記読み仮名として確定させることを特徴とする請求項１に記載の名称登録装置。
【請求項３】
上記読み仮名確定部は、上記名称を登録するための操作が行われたときに代えて、上記名称確定部により上記名称が確定されたときに、上記最初にカナ漢字変換されるまでに５０音入力された読みのデータを上記読み仮名として確定させることを特徴とする請求項２に記載の名称登録装置。
【請求項４】
上記読み仮名確定部は、上記名称を登録するための操作が行われたときに代えて、上記最初のカナ漢字変換により提示された漢字を取り消すための操作が行われたときに、上記最初にカナ漢字変換されるまでに５０音入力された読みのデータを上記読み仮名として確定させることを特徴とする請求項２に記載の名称登録装置。
【請求項５】
名称の読みを１語ずつ５０音入力しカナ漢字変換して登録したときに、当該５０音入力された読みを自動的に読み仮名として登録する名称の読み仮名登録方法であって、
コンピュータが、上記５０音による読みのデータを１語ずつ入力する第１のステップと、
上記コンピュータが、上記第１のステップで入力された読みのデータをユーザ操作に応じてカナ漢字変換する第２のステップと、
上記コンピュータが、上記カナ漢字変換により変換候補として提示された漢字の中から何れかの漢字を選択して確定させるための操作に応じて、当該選択された漢字を上記名称の一部または全部として確定させる第３のステップと、
上記コンピュータが、最初にカナ漢字変換されるまでに５０音入力された読みのデータを読み仮名として確定させる第４のステップと、
上記コンピュータが、上記読みのデータから変換された漢字を上記名称として登録する操作が行われた場合に、上記第３のステップで確定された名称と共に、上記第４のステップで確定された読み仮名をデータベースに登録する第５のステップとを有し、
上記最初のカナ漢字変換が行われた後、上記名称を登録するための操作が行われるまでの間に上記５０音入力が再度行われてカナ漢字変換された場合でも、２回目以降に５０音入力された読みのデータは上記読み仮名として用いず、上記最初にカナ漢字変換されるまでに５０音入力された読みのデータを上記読み仮名として確定させることを特徴とする読み仮名登録方法。
【発明の詳細な説明】
【技術分野】
【０００１】
本発明は、名称登録装置および名称の読み仮名登録方法に関し、特に、名称の読みを１語ずつ５０音入力しカナ漢字変換して登録するとともに、当該５０音入力された読みを自動的に読み仮名として登録するようになされた名称登録装置に関するものである。
【背景技術】
【０００２】
一般に、車両の走行案内を行うナビゲーション装置は、目的地を指定することにより、現在地から目的地までの誘導経路を探索して案内する機能を備えている。この種のナビゲーション装置では、目的地を入力するためのユーザインタフェースとして様々な方法が用意されている。その中に、所望の施設や地名等をあらかじめ地点登録しておき、その登録地点を検索することによって所望の目的地を設定するという方法がある。
【０００３】
所望の施設や地名等を地点登録する際、あるいはその登録地点の情報を編集する際には、画面上に５０音入力のソフトウェアキーボードを表示させ、施設名や地名の読みを１語ずつ入力し、変換ボタンを押下して漢字に順次変換していくやり方が主流である。ナビゲーション装置の中には、施設名や地名を漢字で登録するのみならず、その読み仮名を登録するようになされたものも存在する。この種のナビゲーション装置において、ソフトウェアキーボード上で５０音入力された読みを自動的に読み仮名として登録するようにしたものも存在する。
【０００４】
また、固定電話機、携帯電話機、ファクシミリ装置などの電子機器では通常、電話帳データを備えている。この電話帳データに氏名や地名等を登録する際も、基本的には上述のナビゲーション装置と同様のインタフェースが採用されている。すなわち、氏名や地名等の読みを１語ずつ５０音入力し、変換ボタンを押下して漢字に順次変換していくという登録方法である。５０音入力された読みを自動的に読み仮名として登録する機能も備えているのが普通である。
【０００５】
従来、読み仮名の自動登録や再利用に関する発明も提案されている（例えば、特許文献１，２参照）。特許文献１に記載の発明では、仮名／漢字変換の際に入力された読み仮名のデータを文書中に埋め込んで格納し、ルビを振る処理を行う場合、文書中に埋め込まれた読み仮名を対応する漢字に割り当てて表示するようにしている。特許文献２に記載の発明では、変換前の振り仮名のデータを漢字データと共にアプリケーションソフトに渡し、漢字入力処理を行うことによってデータ入力の効率を向上させるようにしている。
【０００６】
ところで、施設名、地名、氏名などで使われる漢字の中には、常用の読み方と違う読み方をする漢字が多数存在する。そのため、読みをそのまま５０音入力しても、変換ボタンを押下したときに提示される変換候補の中に、所望の漢字が出てこないことがある。その場合には、単漢字ごとに区切ってわざと違う読みを入力して漢字変換を順次行う必要があるが、単漢字ごとに入力した読みがそのまま読み仮名として登録されてしまう。
【０００７】
例えば、「田人」（たびと）という地名を登録したい場合、「たびと」と５０音入力して変換ボタンを押すと、変換候補として「旅人」「旅と」「度と」「足袋と」「田尾と」「タビト」が提示されるが、「田人」は提示されない。この場合、例えば「たんぼ」と５０音入力して「田んぼ」に漢字変換した後「んぼ」を削除し、さらに「ひと」と５０音入力して「人」に漢字変換すれば、「田人」という地名を漢字で登録することが可能である。
【０００８】
しかしながら、この場合、２回の５０音入力で指定した「たんぼひと」という文字が読み仮名として自動的に登録されてしまうことになる。そのため、読み仮名の登録については別途修正の操作をしなければならなくなり、ユーザの手間が増えてしまう。すなわち、本来、読み仮名の自動登録はユーザの手間を省くためのものであるが、常用の読み方と違う読み方をする漢字を登録する場合には、その読み仮名の登録に関しては却って手間が増えてしまうという問題があった。
【先行技術文献】
【特許文献】
【０００９】
【特許文献１】特開平４−２８８６６５号公報
【特許文献２】特開平９−３１９７４１号公報
【発明の概要】
【発明が解決しようとする課題】
【００１０】
本発明は、このような問題を解決するために成されたものであり、常用の読み方と違う読み方をする漢字が含まれる名称を登録する場合に、その名称の読み仮名の登録にかかるユーザの手間を削減できるようにすることを目的とする。
【課題を解決するための手段】
【００１１】
上記した課題を解決するために、本発明では、５０音入力された読みについて最初にカナ漢字変換が行われた後、名称を登録するための操作が行われるまでの間に５０音入力が再度行われてカナ漢字変換された場合でも、２回目以降に５０音入力された読みのデータは読み仮名として用いず、最初にカナ漢字変換されるまでに５０音入力された読みのデータを読み仮名として確定させるようにしている。
【発明の効果】
【００１２】
上記のように構成した本発明によれば、常用の読み方と違う読み方をする漢字を用いた名称を登録しようとする場合、登録したい読み仮名で最初に５０音入力してカナ漢字変換をすれば、提示される変換候補の中に所望の漢字が出てこなくても、当該最初に５０音入力した読みのデータで読み仮名が確定される。すなわち、単漢字ごとに区切ってカナ漢字変換を順次行うことにより、所望の漢字を確定して名称の登録を行うことができるが、このとき単漢字ごとに５０音入力した読みが名称の読み仮名として登録されることはなく、最初に５０音入力したときの読みが読み仮名として登録されることとなる。これにより、読み仮名については修正の操作をする必要がなくなり、読み仮名の登録にかかるユーザの手間を削減することができる。
【図面の簡単な説明】
【００１３】
【図１】本実施形態による名称登録装置の機能構成例を示すブロック図である。
【図２Ａ】本実施形態による名称登録装置の画面遷移例を示す図である。
【図２Ｂ】本実施形態による名称登録装置の画面遷移例を示す図である。
【図３】本実施形態による名称登録装置の動作例を示すフローチャートである。
【発明を実施するための形態】
【００１４】
以下、本発明の一実施形態を図面に基づいて説明する。図１は、本実施形態による名称登録装置の機能構成例を示すブロック図である。本実施形態の名称登録装置は、名称の読みを１語ずつ５０音入力しカナ漢字変換して登録するとともに、当該５０音入力された読みを自動的に読み仮名として登録するものである。本実施形態の名称登録装置は、例えば、所望の施設や地名等をあらかじめ地点登録しておき、登録地点を検索することによって所望の目的地を設定する機能を備えたナビゲーション装置に搭載される。
【００１５】
図１に示すように、本実施形態の名称登録装置１００は、その機能構成として、操作受付部１、カナ漢字変換部２、読み仮名確定部３、名称確定部４、読みデータ記憶部５、一時記憶部６、漢字訂正部７およびデータベース登録部８を備えて構成されている。なお、操作受付部１、カナ漢字変換部２、読み仮名確定部３、名称確定部４、読みデータ記憶部５、漢字訂正部７およびデータベース登録部８の機能は、実際にはコンピュータのＣＰＵあるいはＭＰＵ、ＲＡＭ、ＲＯＭなどを備えて構成され、ＲＡＭやＲＯＭに記憶されたプログラムが動作することによって実現できる。
【００１６】
操作受付部１は、ナビゲーション装置のディスプレイ（図示せず）に表示されたソフトウェアキーボード等のユーザインタフェースに対する操作を受け付ける。具体的には、操作受付部１は、ソフトウェアキーボードに対する５０音入力の操作を受け付ける。また、操作受付部１は、５０音入力された読みを漢字に変換するカナ漢字変換の操作や、変換候補として提示された漢字の中から何れかの漢字を選択して確定させるための操作、確定された漢字の一部を訂正するための操作、カナ漢字変換された名称およびその読み仮名をデータベース１０に登録するための操作などを受け付ける。
【００１７】
カナ漢字変換部２は、変換ボタンの押下操作に応じて、５０音入力された読みを漢字に変換するカナ漢字変換処理を実行する。例えば、変換ボタンが押下される毎に、カナ漢字変換部２は変換候補の漢字を順次提示する。
【００１８】
読み仮名確定部３は、カナ漢字変換部２によって最初にカナ漢字変換されるまでに５０音入力された読みのデータを読み仮名として確定させる。この読み仮名の確定に当たり、読み仮名確定部３は、読みデータ記憶部５により一時記憶部６に記憶された読みのデータを利用するが、その詳細については後述する。
【００１９】
名称確定部４は、カナ漢字変換により変換候補として提示された漢字の中から何れかの漢字を選択して確定させるための操作が行われた場合、当該選択された漢字を名称の一部または全部として確定させる。例えば、「田中」という名称を登録しようとする場合、常用の読み方をする漢字が用いられているので、「たなか」と５０音入力してカナ漢字変換すれば、変換候補として提示される漢字の中に「田中」が含まれる。その「田中」の漢字を選択して確定させるための操作が行われた場合、名称確定部４は、当該選択された漢字を名称の全部として確定させる。
【００２０】
一方、「田人」（たびと）という名称を登録しようとする場合、この名称は常用の読み方と違う読み方をするので、「たびと」と５０音入力してカナ漢字変換しても、変換候補として提示される漢字の中に「田人」は含まれない。この場合は、「田」、「人」と単漢字ごとに区切ってわざと違う読みを５０音入力してカナ漢字変換を順次行うことになる。
【００２１】
例えば、「でん」と５０音入力してカナ漢字変換すると、変換候補として提示される漢字の中に「田」が含まれる。その「田」の漢字を選択して確定させるための操作が行われた場合、名称確定部４は、当該選択された漢字を名称の一部として確定させる。続いて、例えば「ひと」と５０音入力してカナ漢字変換すると、変換候補として提示される漢字の中に「人」が含まれる。その「人」の漢字を選択して確定させるための操作が行われた場合、名称確定部４は、当該選択された漢字を名称の一部として確定させる。
【００２２】
読みデータ記憶部５は、最初にカナ漢字変換されるまでに５０音入力された読みのデータを一時記憶部６に記憶させる。最初のカナ漢字変換が行われた後、名称を登録させるための操作が行われるまでの間に読みのデータの５０音入力が再度行われてカナ漢字変換された場合でも、読みデータ記憶部５は、２回目以降に５０音入力された読みのデータは一時記憶部６に記憶させず、最初にカナ漢字変換されるまでに５０音入力された読みのデータを一時記憶部６に保持し続ける。
【００２３】
例えば、「田人」（たびと）という名称を登録しようとする場合、最初に「たびと」と５０音入力してカナ漢字変換すると、読みデータ記憶部５は、最初にカナ漢字変換されるまでに５０音入力された「たびと」という読みのデータを一時記憶部６に記憶させる。ただし、この場合のカナ漢字変換により変換候補として提示される漢字の中に「田人」は含まれないので、その後、上述のように単漢字ごとに区切り違う読みを５０音入力してカナ漢字変換を順次行うことになる。
【００２４】
すなわち、最初に「たびと」についてカナ漢字変換を行った後、例えば「でん」と５０音入力してカナ漢字変換をすることによって「田」の漢字を確定させ、続いて「ひと」と５０音入力してカナ漢字変換をすることによって「人」の漢字を確定させる。この場合、読みデータ記憶部５は、２回目以降に５０音入力された「でん」や「ひと」の読みのデータは一時記憶部６に記憶させず、最初に５０音入力された「たびと」という読みのデータを一時記憶部６に保持し続ける。
【００２５】
読み仮名確定部３は、確定した名称をデータベース１０に登録するための操作が行われたときに、一時記憶部６に記憶されている読みのデータを、確定された名称に対する読み仮名として確定させる。例えば、最初に「たびと」と５０音入力してカナ漢字変換しても、変換候補として提示される漢字の中に「田人」が含まれないため、変換候補の中から漢字を選択して確定させる操作は行われない。ただし、この時点で「たびと」という読みのデータが読みデータ記憶部５により一時記憶部６に記憶される。
【００２６】
その後、「でん」、「ひと」と順次５０音入力してカナ漢字変換をすることによって「田」、「人」の漢字を順次確定させた後、当該２つの漢字の組み合わせから成る「田人」という名称をデータベース１０に登録するための操作をすると、読み仮名確定部３は、一時記憶部６に記憶されている「たびと」という読みのデータを、確定された「田人」という名称に対する読み仮名として確定させる。
【００２７】
漢字訂正部７は、名称確定部４により名称の一部または全部として確定された漢字の一部をユーザ操作に応じて訂正する。例えば、単漢字ごとに５０音入力してカナ漢字変換を行う際に、例えば「でん」と５０音入力してカナ漢字変換をすると、変換候補の中に「田」が含まれるので、それを選択して確定させれば、特に訂正の必要はない。
【００２８】
これに対し、例えば「たんぼ」と５０音入力してカナ漢字変換をすると、変換候補としては「田んぼ」や「田圃」が提示される。この場合、何れかの変換候補を選択して確定させると、本来必要な「田」以外に「んぼ」や「圃」が含まれてしまうことになる。この場合、漢字訂正部７は、「んぼ」や「圃」の部分をユーザ操作に応じて削除することにより、本来必要な「田」の漢字のみに訂正する。
【００２９】
データベース登録部８は、確定した名称を登録するための操作が行われた場合、名称確定部４により確定された名称または漢字訂正部７により漢字の一部が訂正された名称と、読み仮名確定部３により確定された読み仮名とをデータベース１０に登録する。
【００３０】
上述したように、本実施形態の名称登録装置１００では、最初のカナ漢字変換が行われた後、名称を登録するための操作が行われるまでの間に５０音入力が再度行われてカナ漢字変換された場合でも、２回目以降に５０音入力された読みのデータは読み仮名として用いず、最初にカナ漢字変換されるまでに５０音入力された読みのデータを読み仮名として確定させ、データベース１０に登録する。
【００３１】
図２Ａおよび図２Ｂは、上記のように構成した名称登録装置１００の画面遷移例を示す図である。図２Ａ（ａ）に示す画面で名称の編集を指示すると、図２Ａ（ｂ）に示すソフトウェアキーボードの画面に遷移する。ここで、例えば「田人」（たびと）という名称を登録しようとする場合、図２Ａ（ｂ）に示すように、最初にユーザが「たびと」と５０音入力し、変換ボタン２１を押下してカナ漢字変換する。このとき、読みデータ記憶部５により「たびと」という読みのデータが一時記憶部６に記憶される。
【００３２】
この場合のカナ漢字変換により、図２Ａ（ｃ）に示すように、「旅人」という変換候補が提示される。また、変換ボタン２１を複数回押下すると、「旅と」「度と」「足袋と」「田尾と」「タビト」といった変換候補が、変換ボタン２１を押下する毎に順次提示される。しかし、「田人」という漢字は変換候補として提示されないので、ユーザは戻るボタン２２を押下する。これにより、提示された変換候補は画面から消去され、５０音入力を最初から行う状態に戻る。
【００３３】
次に、図２Ｂ（ｄ）に示すように、ユーザが「でん」と５０音入力し、変換ボタン２１を押下してカナ漢字変換する。このとき、読みデータ記憶部５は、「でん」という読みのデータは一時記憶部６に記憶させず、「たびと」という読みのデータを一時記憶部６に保持し続ける。「でん」と５０音入力してカナ漢字変換をすると、図２Ｂ（ｅ）に示すように「田」の漢字が変換候補として提示される。そこでユーザは、変換候補の中から「田」の漢字が選択された状態で、確定ボタン２３を押下する。この確定ボタン２３の押下操作に応じて、名称確定部４は、名称の一部である「田」の漢字を確定させる。
【００３４】
なお、「たんぼ」と５０音入力してカナ漢字変換をすると、「田んぼ」や「田圃」が変換候補として提示される。この場合は、ユーザは確定ボタン２３を押下して何れかの変換候補を確定させた後、一字消去ボタン２５を必要回数押下して「んぼ」や「圃」の部分を消去する。漢字訂正部７は、このような一字消去ボタン２５の押下操作に応じて、名称確定部４により名称の一部または全部として確定された漢字の一部を訂正する。
【００３５】
続いて、図２Ｂ（ｆ）に示すように、ユーザが「ひと」と５０音入力し、変換ボタン２１を押下してカナ漢字変換する。このとき、読みデータ記憶部５は、「ひと」という読みのデータは一時記憶部６に記憶させず、「たびと」という読みのデータを一時記憶部６に保持し続ける。「ひと」と５０音入力してカナ漢字変換をすると、図２Ｂ（ｇ）に示すように「人」の漢字が変換候補として提示される。そこでユーザは、変換候補の中から「人」の漢字が選択された状態で、確定ボタン２３を押下する。この確定ボタン２３の押下操作に応じて、名称確定部４は、名称の残りの一部である「人」の漢字も確定させる。
【００３６】
「田」の漢字と「人」の漢字とを順次確定させると、登録したい「田人」の名称が出来上がる。そこでユーザは、登録ボタン２４を押下する。この登録ボタン２４の押下操作に応じて、読み仮名確定部３は、一時記憶部６に記憶されている読みのデータを、確定された「田人」という名称に対する読み仮名として確定させる。そして、データベース登録部８は、確定された「田人」という名称とその読み仮名「たびと」とをデータベース１０に登録する。
【００３７】
図３は、本実施形態による名称登録装置１００の動作例を示すフローチャートである。なお、図３に示すフローチャートは、図２に示すソフトウェアキーボードが表示されたときに開始する。
【００３８】
まず、操作受付部１は、登録したい名称の読みを５０音入力するための操作を受け付ける（ステップＳ１）。このとき、読みデータ記憶部５は、５０音入力された読みのデータを一時記憶部６に記憶させる（ステップＳ２）。その後、操作受付部１が変換ボタン２１の押下操作を受け付けると、カナ漢字変換部２は、入力された読みを漢字にカナ漢字変換し、１つ目の変換候補を画面に表示する（ステップＳ３）。
【００３９】
次に、操作受付部１は、ユーザのボタン操作を受け付けたか否かを判定する（ステップＳ４）。ここで、変換ボタン２１が押下された場合はステップＳ３に戻り、カナ漢字変換部２が、一時記憶部６に記憶された読みに関する次の変換候補を画面表示する。一方、確定ボタン２３が押下された場合、処理はステップＳ８に移行し、漢字が確定される。また、戻るボタン２２が操作された場合、提示された変換候補は画面から消去され、５０音入力を最初から行う状態に戻るので、操作受付部１は、名称の読みを５０音入力するための操作を再び受け付ける（ステップＳ５）。ここで入力される読みは、登録したい名称に含まれる単漢字の読みである。
【００４０】
その後、操作受付部１が変換ボタン２１の押下操作を受け付けると、カナ漢字変換部２は、入力された読みを漢字に変換し、１つ目の変換候補を画面に表示する（ステップＳ６）。次に、操作受付部１は、ステップＳ５と同様にユーザのボタン操作を受け付けたか否かを判定する（ステップＳ７）。ここで、変換ボタン２１が押下された場合、処理はステップＳ６に戻り、カナ漢字変換を続行する。すなわち、変換ボタン２１の操作に応じて、次の変換候補を提示させる。また、戻るボタン２２が押下された場合、処理はステップＳ５に戻り、単漢字の読みが改めて入力されることとなる。
【００４１】
一方、ステップＳ４またはＳ７で確定ボタン２３が操作された場合、名称確定部４は、確定ボタン２３が操作されたときに選択されている変換候補の漢字を名称の一部として確定させる（ステップＳ８）。次に、操作受付部１は、一字消去ボタン２５の操作を受け付けたか否かを判定する（ステップＳ９）。一字消去ボタン２５が操作された場合、漢字訂正部７は、名称確定部４により名称の一部または全部として確定された漢字の一部を訂正する（ステップＳ１０）。
【００４２】
その後、操作受付部１は、登録ボタン２４の操作を受け付けたか否かを判定する（ステップＳ１１）。なお、上記ステップＳ９で一字消去ボタン２５の操作を受け付けていないと判定した場合は、ステップＳ１０の処理を行うことなく、ステップＳ１１に遷移する。ここで、登録ボタン２４が押下されていない場合、処理はステップＳ５に戻る。そして、登録したい名称の未確定の部分の漢字に関する５０音入力を行う。
【００４３】
一方、登録ボタン２４が押下された場合、読み仮名確定部３は、ステップＳ２で一時記憶部６に記憶された読みのデータを、確定された名称に対する読み仮名として確定させる（ステップＳ１２）。そして、データベース登録部８は、確定された名称とその読み仮名とをデータベース１０に登録する（ステップＳ１３）。これにより、図３に示すフローチャートの処理を終了する。
【００４４】
なお、上記ステップＳ４において確定ボタン２３が押下されてステップＳ８に遷移した場合、最初にステップＳ１で５０音入力された読みについてカナ漢字変換された漢字がそのまま名称として確定される（ステップＳ８）。そして、ステップＳ１１で登録ボタン２４が押下されると、ステップＳ１で最初に５０音入力された読みが読み仮名として確定され（ステップＳ１２）、その読み仮名と名称とがデータベース１０に登録される（ステップＳ１３）。これは、登録したい名称が常用漢字で構成されている場合の処理の流れとなる。
【００４５】
以上詳しく説明したように、本実施形態では、５０音入力された読みについて最初にカナ漢字変換が行われた後、登録ボタン２４の操作が行われるまでの間に５０音入力が再度行われてカナ漢字変換された場合でも、２回目以降に５０音入力された読みのデータは読み仮名として用いず、最初にカナ漢字変換されるまでに５０音入力された読みのデータを読み仮名として確定させるようにしている。
【００４６】
このように構成した本実施形態によれば、常用の読み方と違う読み方をする漢字を用いた名称を登録しようとする場合、登録したい読み仮名で最初に５０音入力してカナ漢字変換をすれば、提示される変換候補の中に所望の漢字が出てこなくても、当該最初に５０音入力した読みのデータで読み仮名が確定される。すなわち、単漢字ごとに区切ってカナ漢字変換を順次行うことにより、所望の漢字を確定して名称の登録を行うことができるが、このとき単漢字ごとに５０音入力した読みが名称の読み仮名として登録されることはなく、最初に５０音入力したときの読みが読み仮名として登録されることとなる。これにより、読み仮名については修正の操作をする必要がなくなり、読み仮名の登録にかかるユーザの手間を削減することができる。
【００４７】
なお、上記実施形態では、読み仮名確定部３は、確定した名称をデータベース１０に登録するための操作が行われたときに、一時記憶部６に記憶されている読みのデータを、上記確定した名称に対する読み仮名として確定させるようにしたが、本発明はこれに限定されない。例えば、名称確定部４により名称の一部または全部が確定されたときに、一時記憶部６に記憶されている読みのデータを読み仮名として確定させるようにしてもよい。あるいは、最初に５０音入力した読みを漢字に変換した後、カナ漢字変換により変換候補として提示された漢字を取り消すために戻るボタン２２が操作されたときに、一時記憶部６に記憶されている読みのデータを読み仮名として確定させるようにしてもよい。
【００４８】
また、上記実施形態では、戻るボタン２２を押下することによって、カナ漢字変換により変換候補として提示された漢字を取り消して５０音入力を最初から行う状態に戻るようにしたが、本発明はこれに限定されない。例えば、カナ漢字変換により提示される変換候補の最後に「候補なし」という選択肢を追加しておき、当該「候補なし」の選択肢が選択されたときに、カナ漢字変換により提示された変換候補を画面から消去し、５０音入力を最初から行う状態に戻るようにしてもよい。そして、「候補なし」の選択肢が選択されたときに、一時記憶部６に記憶されている読みのデータを読み仮名として確定させるようにしてもよい。
【００４９】
また、上記実施形態では、名称登録装置１００をナビゲーション装置に搭載する例について説明したが、本発明はこれに限定されない。例えば、固定電話機、携帯電話機、ファクシミリ装置などの電話帳データを備えた電子機器にも本実施形態の名称登録装置１００を搭載することが可能である。また、これ以外にも、名称とその読み仮名をデータベースに登録する機能を有する電子機器であれば、本実施形態の名称登録装置１００を適用することが可能である。
【００５０】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００５１】
３  読み仮名確定部
４  名称確定部
５  読みデータ記憶部
６  一時記憶部
７  漢字訂正部
８  データベース登録部
１０  データベース
２１  変換ボタン
２２  戻るボタン
２３  確定ボタン
２４  登録ボタン
２５  一字消去ボタン
１００  名称登録装置
【図１】
2014016918.tif 000003
【図２Ａ】
2014016918.tif 000004
【図２Ｂ】
2014016918.tif 000005
【図３】
2014016918.tif 000006